(57)【要約】【課題】  ドライバー(2)の先端に装着させてネジ(4)の頭部(40)を保持するネジ保持具に関し、保持したネジ(4)を不用意に落下させることなく、又、ドライバー(2)がネジ孔(50)に対して傾斜姿勢でも使用可能とすること。【解決手段】  弾性部材からなる筒体であって、一端側に開放し且つドライバー(2)の軸(20)が略密嵌状態に挿入可能な軸保持筒部(10)と、他端側に開放し且つネジ(4)の頭部(40)を密嵌状態に収納保持可能なネジ保持筒部(11)とからなり、軸(20)を軸保持筒部(10)内に所定深さ挿入させた状態にてそれ以上の挿入を阻止する挿入阻止手段(13)が設けられ、軸(20)が最挿入位置に達したとき、その先端の係合突部(21)は、ネジ保持筒部(11)内のネジ(4)の頭部頂面の係合溝(42)に係合し、軸保持筒部(10)とネジ保持筒部(11)との境界部分に相当する前記筒体の外周面には、環状凹溝(12)が周方向に沿って形成されていること。  【選択図】  図１
2005169584.tif 000002
【特許請求の範囲】
【請求項１】
ドライバーの先端に装着させてネジの頭部を保持するネジ保持具において、
弾性部材からなる筒体であって、
前記筒体は、一端側に開放し且つ前記ドライバーの軸が略密嵌状態に挿入可能な軸保持筒部と、他端側に開放し且つ前記ネジの頭部を密嵌状態に収納保持可能なネジ保持筒部とから構成されており、
前記軸を前記軸保持筒部内に所定深さ挿入させた状態にてそれ以上の挿入を阻止する挿入阻止手段が設けられており、
前記軸が最挿入位置に達したとき、前記軸の先端の係合突部は、前記ネジ保持筒部内に収納保持されている前記ネジの頭部頂面の係合溝に係合するように設定されており、
前記軸保持筒部と前記ネジ保持筒部との境界部分に相当する前記筒体の外周面には、環状凹溝が周方向に沿って形成されていることを特徴とするネジ保持具。
【請求項２】
請求項１に記載のネジ保持具において、前記挿入阻止手段は、前記環状凹溝の形成位置に対応する前記筒体の内周面に設けた環状凸部とし、前記環状凸部の内径は、前記ドライバーの前記軸の直径よりも小さく設定されていることを特徴とするネジ保持具。
【請求項３】
請求項１又は２に記載のネジ保持具において、前記軸保持筒部及び前記ネジ保持筒部は、それぞれ円筒形に形成されており、前記ネジ保持筒部の開放端の内周面に、前記開放端に向かって拡径するテーパ状部が形成されていることを特徴とするネジ保持具。
【請求項４】
請求項１から３のいずれかに記載のネジ保持具において、前記筒体は透明であることを特徴とするネジ保持具。
【発明の詳細な説明】
【技術分野】
【０００１】
本発明は、ネジ保持具、特に、ドライバーの先端に装着させて使用するネジ保持具に関するものである。
【背景技術】
【０００２】
各種機械装置の部品をネジ止めして取り付ける場合、ネジの取り付けや分解時の取り外しは、狭い箇所や奥まった箇所への作業になることが多い。このような箇所へのネジの取り付け、取り外しには、前記ネジの軸が軸孔に合うようにネジの頭部を指で支えることが出来ない。このため、例えば、実開平１−１２５１７５号公報や特開２００１−１２７５号公報に開示されているようなネジ保持具(30)が利用されることがある。
これらネジ保持具(30)は、図３に示すように、ドライバー(2)の軸部(20)の先に被嵌させる軸保持部(30)と、ネジ(4)の頭部(40)を包囲して保持するネジ保持部(31)とからなる筒体が一般的である。
【０００３】
このネジ保持具(3)を使って、狭い箇所や奥まった箇所にあるネジ取り付け位置にネジ(4)を取り付けるには、ドライバー(2)の軸(20)の先端の係合突部(21)を、ネジ保持具(3)の前記軸保持部(30)側の開放端から差し込み、前記ネジ保持部(31)側の開放端から、ネジ(4)の頭部(40)を挿入し、前記ドライバー(2)の係合突部(21)を、ネジ(4)の頭部(40)の係合溝(42)に係合させる。これにより、ドライバー(2)とネジ(4)とはネジ保持具(3)を介して一体となる。この状態で、ドライバー(2)の持手部(22)を持って、ネジ(4)のネジ軸部(41)の先をネジ被取付面(5)のネジ孔(50)に差し込み、そのまま、ドライバー(2)を締付け方向に回転させればネジ(4)は捻じ込まれていく。
【０００４】
逆に、このネジ保持具(3)を用いて、ネジ(4)を取り外すには、ドライバー(2)の持手部(22)を持って、軸部(20)の先端部に装着させたネジ保持具(3)のネジ保持部(31)の開放端を、ネジ(4)の頭部(40)に強制的に外嵌させながら、係合突部(21)をネジ(4)の頭部(40)の頂面の係合溝(42)に係合させる。そして、ドライバー(2)を逆方向に回転させてネジ(4)を取り外せば良い。
このように、ネジ(4)の頭部(40)を直接指で支持することができなくても、ネジ保持具(3)を利用することにより、狭い箇所や奥まった箇所へのネジ(4)の取り付け、取り外しが容易となる。
【特許文献１】実開平１−１２５１７５号公報
【特許文献２】特開２００１−１２７５号公報
【発明の開示】
【発明が解決しようとする課題】
【０００５】
しかしながら、上記した従来のネジ保持具(3)では、軸保持部(30)側からドライバー(2)の軸部(20)をネジ保持具(3)内に挿入し過ぎた状態で、ネジ保持部(3)にネジ(4)の頭部(40)を保持させた場合、前記ネジ(4)はネジ保持部(31)に浅く嵌合される態様となる。よって、場合によっては、ネジ保持部(31)でネジ(4)の頭部(40)を保持しきれずに、ネジの取り付け又は取外しの途中で、ネジ(4)をネジ保持具(3)から落下させてしまうといった不都合がある。特に、狭い箇所や奥まった箇所で、ネジ(4)を落下させてしまうと、それを取り除く作業に手間がかかり、作業性が悪いものとなる。
【０００６】
又、従来のネジ保持具(3)は、軸保持部(30)とネジ保持部(31)とは同心の筒状に構成されているから、ネジ(4)が取り付けられるネジ孔(50)に対してまっすぐにドライバー(2)を差し込むことができる箇所でないと、ネジ保持具(3)を使ってのネジ(4)の取り付け、取外しは困難であるといった問題もある。たとえ、ネジ保持具(3)が弾性材料から構成されている場合であっても、ネジ保持具(3)の屈曲させる位置を特定することができないから、力の加え具合で不必要な箇所が屈曲したりして使い勝手の悪いものとなる。
【０００７】
本発明は、『ドライバーの先端に装着させてネジの頭部を保持するネジ保持具』において、一旦保持したネジを不用意に落下させることなく、又、ネジ孔に対してドライバーを斜めに差し込んでもネジの取り付け取外しが可能なネジ保持具を提供することを課題とする。
【課題を解決するための手段】
【０００８】
（１）請求項１に係る発明のネジ保持具は、『弾性部材からなる筒体であって、
前記筒体は、一端側に開放し且つ前記ドライバーの軸が略密嵌状態に挿入可能な軸保持筒部と、他端側に開放し且つ前記ネジの頭部を密嵌状態に収納保持可能なネジ保持筒部とから構成されており、
前記軸を前記軸保持筒部内に所定深さ挿入させた状態にてそれ以上の挿入を阻止する挿入阻止手段が設けられており、
前記軸が最挿入位置に達したとき、前記軸の先端の係合突部は、前記ネジ保持筒部内に収納保持されている前記ネジの頭部頂面の係合溝に係合するように設定されており、
前記軸保持筒部と前記ネジ保持筒部との境界部分に相当する前記筒体の外周面には、環状凹溝が周方向に沿って形成されていること』である。
上記手段は次のように作用する。
筒体の軸保持筒部は、ドライバーの軸が略密嵌状態に外嵌可能に設定されているから、前記軸を筒体の前記一端側から差し込んで強制的に押し込めば、前記軸は筒体内に挿入させることができ、挿入状態において、不用意に抜け落ちることはない。そして、所定深さ挿入させた時点で、挿入阻止手段の作用により、それ以上の挿入が阻止される。すなわち、前記挿入阻止手段により挿入が阻止された位置が、前記筒体内における前記軸の最挿入位置となる。又、前記筒体は、弾性材料から構成されているから、他端側のネジ保持筒部の内径を、ネジの頭部の外径に略一致するか又はやや小さめに形成しておけば、前記ネジ保持筒部の開放端にネジの頭部を強制的に押し込むことにより、前記筒体の前記開放端は弾性的に拡径する。これにより、ネジ保持筒部内に保持させた状態のネジは、前記筒体の弾性復帰力によって、前記ネジの頭部に密に外嵌させることができる。又、前記ドライバーの軸を前記軸保持筒部内に前記最挿入位置に達するまで挿入させた状態において、前記軸の先端の係合突部が、前記ネジ保持筒部内の前記ネジの頭部頂面の係合溝にちょうど係合可能となるように設定されているから、前記係合突部は、ネジ保持筒部内に突出した状態となる。よって、厳密には、軸保持筒部は、ドライバーの軸のうち、前記係合突部を除いた棒状部分を保持し、前記係合突部は、前記軸保持筒部と前記ネジ保持筒部との境界部に位置することとなる。そして、この境界部に対応する前記筒体の外周面に形成された環状凹溝に沿って、前記筒体は屈曲し易いものとなっている。
【０００９】
（２）請求項２に係る発明のネジ保持具は、請求項１に記載のネジ保持具において、『前記挿入阻止手段は、前記環状凹溝の形成位置に対応する前記筒体の内周面に設けた環状凸部とし、前記環状凸部の内径は、前記ドライバーの前記軸の直径よりも小さく設定されている』ものであり、このものでは、筒体は、前記軸保持筒部と前記ネジ保持筒部との境界部となる所定位置において、内側に凹ませたくびれ部分が環状に形成される形状となり、このくびれ部分の内面側に突出する環状凸部にドライバーの係合突部の基端部が引っ掛かってそれ以上の軸の挿入が阻止されることとなる。軸の最挿入位置においては、環状凸部は、軸の係合突部を包囲する態様となると共に、その包囲箇所において、環状凹溝が形成されていることから筒体は屈曲可能となっている。
【００１０】
（３）請求項３に係る発明のネジ保持具は、上記記載のネジ保持具において、『前記軸保持筒部及び前記ネジ保持筒部は、それぞれ円筒形状に形成されており、前記ネジ保持筒部の開放端の内周面に、前記開放端に向かって拡径するテーパ状部が形成されている』もので、軸保持筒部及びネジ保持筒部を円筒形に形成することで、ドライバーの軸部分及びネジの頭部側面が前記筒体内面に密着状態で包囲されることとなる。又、ネジ保持筒部の開放端の内面はテーパ状部が形成されているから、前記ネジ保持筒部の肉厚は、前記開放端に向かって薄肉となる。よって、前記ネジ保持筒部の開放端は変形し易いものとなり、前記ネジ保持筒部の開放端はネジ取付面に強制的に押さえ付けられると、前記テーパ状部のテーパ面が前記ネジ取付面に接触する態様に変形させることができる。前記ネジ保持筒部の開放端を変形させながら、ドライバーによるネジの取り付け、取外しが可能となるから、ネジは、取り付け前或いは取外し後に前記テーパ状部よりも奥まった位置に保持させておくことができる。
【００１１】
（４）請求項４に係る発明のネジ保持具は、上記各請求項に記載のネジ保持具において、『前記筒体は透明であることを特徴とする』もので、筒体を透明とすることにより、前記筒体の外から、ドライバーの先端とネジの頭部との係合具合を確認することが出来る。
【発明の効果】
【００１２】
以上のように、請求項１に係る発明によれば、ドライバーの軸は筒体内において、挿入阻止手段によって最挿入位置が決定され、それ以上深く挿入されることがないから、ネジ保持筒部に保持させたネジが不用意に軸に押されて開放端から落下することはない。このように、軸保持筒部にドライバーの軸を差し込み、ネジ保持筒部にネジの頭部を内嵌させ、先端の係合突部をネジの頭部頂面の係合溝に係止させた、ドライバーとネジとネジ保持具とのセット状態は、強制的に分離させない限り維持される。よって、ネジは、ネジ孔にねじ込む前、又は、取り外された後に、不用意に落下する不都合はなく、狭い箇所又は奥まった箇所へのネジの取り付け作業が容易に且つ確実に実施することができる。
【００１３】
又、最挿入位置にある前記ドライバーの係合突部が位置するネジ保持筒部と軸保持筒部との境界部分には、環状凹溝が形成されており、この部分で、筒体は容易に屈曲可能となっている。よって、ネジ孔の軸線と、ドライバーの軸の差込方向が多少ずれている場合でも、前記ネジ孔の軸線と係合突部の軸線とが成す角度に応じて筒体を所定の方向及び所定の角度に屈曲させて使用することができる。このように、ネジ孔に対してドライバーを傾斜させた状態でも使用することができるから、ネジの取り付け箇所における適用範囲が拡大する。
【００１４】
請求項２に係る発明によれば、筒体の所定箇所にくびれを形成するだけで、挿入阻止手段として機能する環状凸部と、屈曲部を構成する環状凹部とが同時に形成されることとなるから、ネジの頭部を確実に保持可能で且つネジ孔に対する軸の差込角度に応じて屈曲自在なネジ保持具を容易に形成することができる。
さらに、請求項３に掛かる発明によれば、軸保持筒部及びネジ保持筒部での、ドライバーの軸及びネジの頭部の保持状態の確実性が向上する。又、ネジ保持筒部の開放端はネジの取り付け、取外し時に変形し易いように薄肉に形成されているから、ネジを前記開放端よりも奥まった位置に収納させることができ、前記ネジ保持筒における前記ネジの保持が一層の確実なものとなり、前記ネジの不用意な落下を一層確実に防止することができる。
【００１５】
請求項４に係る発明によれば、筒体内におけるドライバーの先端の係合突部とネジの頭部の係合溝との係合具合を目で確認することが出来るので、ネジの取り付け、取外し作業を一層確実に行うことが出来る。
【発明を実施するための最良の形態】
【００１６】
以下に、本発明を実施するための最良の形態について添付図面を参照しながら説明する。
図１は、ドライバー(2)の軸部(20)とネジ(4)とを、本発明実施の形態のネジ保持具(1)を介して一体に保持された状態を示す断面図であり、前記ネジ保持具(1)は、透明な塩化ビニル樹脂から成形された弾性を有する透明筒体であって、前記ドライバー(2)の軸部(20)を収納保持する軸保持筒部(10)と、ネジ(4)の頭部(40)を収納保持するネジ保持筒部(11)とが同心状に構成されている。前記軸保持筒部(10)は、ドライバー(2)の軸部(20)に密に外嵌する円筒体であり、ネジ保持筒部(11)は、前記軸保持筒部(10)の内径よりも大きな内径を有する円筒体であって前記ネジ(4)の頭部(40)を樹脂の弾性復帰力によって密嵌状態に収納保持できるように、前記ネジ(4)の頭部(40)の直径に略一致するか又はやや小径に形成されている。
【００１７】
尚、これら軸保持筒部(10)とネジ保持筒部(11)との境界部分は、筒体の周方向に沿って内方に凹んだ形状となっており、ネジ保持具(1)の外周面においては、環状凹溝(12)が形成され、内周面においては、環状凸部(13)が形成された態様となっている。軸保持筒部(10)の内径は、前記ドライバー(2)の軸部(20)の直径に略一致する程度に形成されているものであるから、それより小径に形成された環状凸部(13)の内径は、前記軸部(20)の直径よりも小さく構成されていることとなり、軸部(20)の先端の係合突部(21)の尖端部のみが差し込み可能となる。
【００１８】
図面に示すドライバー(2)は、プラスの係合突部(21)を具備するものとし、ネジ(4)の頭部(40)の頂面には、前記係合突部(21)の十字状の尖端に対応する十字状の係合溝(42)が形成されている。
前記軸保持筒部(10)の開放端から、ドライバー(2)の軸部(20)を差し込むと、係合突部(21)は環状凸部(13)を通過した時点で、その基端部が環状凸部(13)に引っ掛かり、それ以上の軸部(20)の挿入が阻止される。すなわち、前記環状凸部(13)が、ドライバー(2)の軸部(20)の挿入阻止手段として機能することとなる。環状凸部(13)によってそれ以上の挿入が阻止された状態にある前記ドライバー(2)の係合突部(21)の尖端部が、ネジ(4)の頭部(40)の係合溝(42)に係合するように、ネジ保持筒部(11)の開放端からネジ(4)を押し入れる。前記ネジ保持具(1)は全体が透明樹脂により形成されていることから、ドライバー(2)の係合突部(21)とネジ(4)の係合溝(42)との係合具合は筒体の外から目で確認することができる。
【００１９】
尚、ネジ保持具(1)は、全体において同一の肉厚で形成されているが、ネジ保持筒部(11)の開放端においては、内周面において、開放端に向かって拡径するテーパ面(14)が形成されており、そのため、薄肉部(15)が形成されている。ネジ(4)の頭部(40)は、このテーパ面(14)よりも奥まった位置に密に収納されることとなり、ネジ(4)のネジ軸部(41)は、前記ネジ保持筒部(11)の開放端から外方へ突出する態様となる。
【００２０】
このネジ保持具(1)を利用して、狭い箇所や奥まって位置するネジ取付面(5)にネジ(4)を取り付けるには、まず、ドライバー(2)とネジ(4)とをネジ保持具(1)を介して一体化させ、その状態で、ドライバー(2)の持手部（図示せず）を持って、ネジ取付面(5)に形成されているネジ孔(50)に向かって、ネジ保持具(1)のネジ保持筒部(11)側の開放端から突出しているネジ(4)のネジ軸(41)を差し込んで行き、ドライバー(2)を締付け方向に回動させる。
【００２１】
ネジ(4)の係合軸(41)がネジ孔(50)に螺合していくにつれて、ドライバー(2)は締付け方向へ進んでいくが、このとき、ネジ保持具(1)の環状凸部(13)がドライバー(2)の係合突部(21)の基端部で押されることにより、ネジ保持具(1)も同方向に移動させられていく。そして、ネジ保持筒部(11)の開放端がネジ取付面(5)に到達した時点で、さらに、ドライバー(2)を締付けることにより、ネジ保持筒部(11)の開放端の薄肉部(15)は、図１の二点鎖線に示すように、ネジ取付面(5)に押されて変形する。テーパ面(14)がネジ取付面(5)に接触する程度まで、前記ネジ保持筒部(11)の開放端の薄肉部(15)を変形させながら締付けた状態が、ネジ(4)の締付け完了状態となる。その後、ドライバー(2)を引き抜けば、ドライバー(2)についてネジ保持具(1)もネジ(4)から外れて引き抜かれ、ネジ(4)のみがネジ取付面(5)に取り付けられることとなる。
【００２２】
同様に、ネジ保持具(1)を利用して、狭い箇所や奥まって位置するネジ取付面(5)に取り付けられているネジ(4)を取り外すには、ドライバー(2)の先端に装着させたネジ保持具(1)のネジ保持筒部(11)の開放端がネジ(4)の頭部(40)に被嵌するようにドライバー(2)を差し込む。ネジ保持筒部(11)の開放端にはテーパ面(14)が形成されて、ネジ(4)の頭部(40)の直径よりも大径になっていることから、ネジ保持筒部(11)の開放端にネジ(4)の頭部(40)を対応させることは困難な作業ではない。
【００２３】
ネジ(4)の頭部(40)がネジ保持筒部(11)内の前記開放端内に収納されるとき、ネジ保持筒部(11)の開放端がネジ取付面(5)に接触する態様となり、この状態においては、ドライバー(2)の先端は、ネジ(4)の頭部(40)の頂面と、所定距離離れて位置する態様となる。この状態から、ドライバー(2)を深く差し込むと、ネジ保持筒部(11)の開放端側の薄肉部(15)が、上記したように、ドライバー(2)の係合突部(21)の基端部とネジ取付面(5)との間で押されて変形し、テーパ面(14)がネジ取付面(5)に対応すると同時に、ドライバー(2)の係合突部(21)の先端がネジ(4)の係合溝(42)に係合する。
【００２４】
この状態において、ドライバー(2)を取外し方向に回動させてネジ(4)を緩め、ネジ取付面(5)から取外す。取り外されたネジ(4)は、ネジ保持具(1)のネジ保持筒部(11)内のうち、テーパ面(14)よりも奥まった位置に収納されることとなり、そのままドライバー(2)を引き抜くことにより、ネジ(4)は、ネジ保持筒部(11)内に密に保持された状態で取り出されることとなる。
【００２５】
このように、ネジ保持具(1)を利用することにより、狭い箇所や奥まった箇所へのネジの取り付け、取外しがスムーズに且つ確実に行うことができ、取り付ける前、或いは、取り外された後のネジ(4)は、ネジ保持筒部(11)内に密嵌状態に保持される態様となるから、作業途中において、ネジ保持具(1)からネジ(4)が落下する不都合はない。
【００２６】
又、ネジ保持具(1)は、外周面に形成されている環状凹溝(12)に沿って屈曲自在であると共に、環状凹溝(12)の形成域に対応するネジ保持具(1)内には、ドライバー(2)の先端の係合突部(21)が位置するように装着されるものであるから、ネジ取付面(5)に形成されているネジ孔(50)の軸線と、ドライバー(2)の差し込み方向がずれる場合には、図２に示すように、ネジ(4)の軸線とドライバー(2)の軸部(20)とが成す角度に応じて、ネジ保持具(1)を環状凹溝(12)で屈曲させて使用することができる。このように、ネジ(4)の軸線に対してドライバー(2)を斜めに対応させて使用することができるから、ネジ(4)の軸線とドライバー(2)の軸線とが一直線上に位置しない場合でも、ネジ保持具(1)を介することにより、ネジ(4)の取り付け取外しを容易に行うことが出来る。
尚、ネジ保持具(1)は、ドライバー(2)に対して、別体に構成されていても、デッピング方式により一体化されていても良い。
【図面の簡単な説明】
【００２７】
【図１】本発明実施の形態のネジ保持具の第１の使用状態を示す断面図。
【図２】本発明実施の形態のネジ保持具の第２の使用状態を示す断面図。
【図３】従来のネジ保持具の使用状態を示す断面図。
【符号の説明】
【００２８】
(1)・・・・・ネジ保持具
(10)・・・・・軸保持筒部
(11)・・・・・ネジ保持筒部
(12)・・・・・環状凹部
(13)・・・・・環状凸部（挿入阻止手段）
(2) ・・・・・ドライバー
(20)・・・・・軸部
(21)・・・・・係合突部
(4) ・・・・・ネジ
(40)・・・・・頭部
(42)・・・・・係合溝
【図１】
2005169584.tif 000003
【図２】
2005169584.tif 000004
【図３】
2005169584.tif 000005